(57)【要約】【課題】第１筐体部と第２筐体部との間の電源ケーブルの敷設を少なくし、小型化や薄型化するために有利な携帯電話機を提供する。また、第２筐体部に電源回路を設ける必要がないようにする。【解決手段】第１筐体部１により、送信電波を生成しこの送信電波に直流電圧を重畳して直流重畳送信電波としこの直流重畳送信電波を出力し、同軸ケーブル３により第１筐体部１が出力した直流重畳送信電波を伝達し、第２筐体部２により、同軸ケーブル３を介して直流重畳送信電波を受けこの直流重畳送信電波より直流電圧を取り出しこの直流電圧を第２筐体部２に予め備えた回路のための電圧として使用するとともに、直流重畳送信電波より送信電波を取り出しこの送信電波をアンテナ４に送り出す。【選択図】      図１
2004274934.tif 000002
【特許請求の範囲】
【請求項１】
送信電波を生成しアンテナよりこの送信電波を放射する携帯電話機において、
前記送信電波を生成しこの送信電波に直流電圧を重畳して直流重畳送信電波としこの直流重畳送信電波を出力する第１筐体部と、
前記第１筐体部が出力した前記直流重畳送信電波を伝達する同軸ケーブルと、
前記同軸ケーブルを介して前記直流重畳送信電波を受けこの直流重畳送信電波より前記直流電圧を取り出しこの直流電圧を自第２筐体部に予め備えた回路の作動用の電圧として使用するとともに、前記直流重畳送信電波より前記送信電波を取り出しこの送信電波を前記アンテナに送り出す第２筐体部と、
を備えたことを特徴とする携帯電話機。
【請求項２】
前記予め備えた回路は、前記アンテナの伸張状態と収納状態とを検出しそれぞれの状態に整合したインピーダンスに切り換えるとともに前記送信電波を前記アンテナに送り出すアンテナマッチング回路であることを特徴とする請求項１記載の携帯電話機。
【請求項３】
前記アンテナマッチング回路は、前記直流重畳送信電波より前記直流電圧を取り出しこの直流電圧を作動用の電圧として使用するようにしたことを特徴とする請求項２記載の携帯電話機。
【請求項４】
前記アンテナマッチング回路は、前記直流重畳送信電波より前記送信電波を取り出しこの送信電波を前記アンテナに送り出すようにしたことを特徴とする請求項２又は３記載の携帯電話機。
【請求項５】
前記直流電圧は、負電圧であることを特徴とする請求項２、３又は４記載の携帯電話機。
【請求項６】
前記予め備えた回路は、表示や通信をする赤外線回路、表示をするＬＣＤ回路を含む各種回路であることを特徴とする請求項１記載の携帯電話機。
【請求項７】
前記各種回路は、前記直流重畳送信電波より前記直流電圧を取り出しこの直流電圧を作動用の電圧として使用するようにしたことを特徴とする請求項６記載の携帯電話機。
【請求項８】
前記直流電圧は、正電圧であることを特徴とする請求項６又は７記載の携帯電話機。
【請求項９】
前記第１筐体部は、
自第１筐体部内で発生する送信信号を変調して前記送信電波を出力する送信回路と、
前記直流電圧を発生する直流電圧発生回路と、
前記送信回路が出力した前記送信電波に前記直流電圧発生回路が発生した前記直流電圧を重畳して前記直流重畳送信電波を生成しこの直流重畳送信電波を出力する重畳回路と、
を備えたことを特徴とする請求項１記載の携帯電話機。
【請求項１０】
前記第１筐体部は、
自第１筐体部内で発生する送信信号を変調して前記送信電波を出力する送信回路と、
直流電圧を発生する直流電圧発生回路と、
前記直流電圧発生回路が発生した前記直流電圧を受けこの直流電圧を作動用の電圧として、前記送信回路が出力した前記送信電波を増幅する増幅回路と、
前記増幅回路が増幅した前記送信電波に前記直流電圧発生回路が発生した前記直流電圧を重畳して前記直流重畳送信電波を生成しこの直流重畳送信電波を出力する重畳回路と、
を備えたことを特徴とする請求項１記載の携帯電話機。
【請求項１１】
前記第２筐体部は、
前記同軸ケーブルを介して前記直流重畳送信電波を受けこの直流重畳送信電波より前記直流電圧を取り出しこの直流電圧を作動用の電圧として使用して、前記アンテナの伸張状態と収納状態とを検出しそれぞれの状態に整合したインピーダンスに切り換えるとともに、前記直流重畳送信電波より前記送信電波を取り出しこの送信電波を前記アンテナに送り出すアンテナマッチング回路を備えたことを特徴とする請求項１、９又は１０記載の携帯電話機。
【請求項１２】
前記第２筐体部は、
前記同軸ケーブルを介して前記直流重畳送信電波を受けこの直流重畳送信電波より前記送信電波と前記直流電圧とを分離してそれぞれ出力する分離回路と、
前記分離回路が分離した前記直流電圧を受けこの直流電圧を作動用の電圧として使用して、前記アンテナの伸張状態と収納状態とを検出しそれぞれの状態に整合したインピーダンスに切り換えるとともに前記分離回路が分離した前記送信電波を受けこの送信電波を前記アンテナに送り出すアンテナマッチング回路と、
を備えたことを特徴とする請求項１、９又は１０記載の携帯電話機。
【請求項１３】
前記第２筐体部は、
前記同軸ケーブルを介して前記直流重畳送信電波を受けこの直流重畳送信電波より前記直流電圧を取り出しこの直流電圧を出力する分離回路と、
前記分離回路が取り出した前記直流電圧を受けこの直流電圧を作動用の電圧として使用して、前記アンテナの伸張状態と収納状態とを検出しそれぞれの状態に整合したインピーダンスに切り換えるとともに、前記直流重畳送信電波を受けこの直流重畳送信電波より前記送信電波を取り出しこの送信電波を前記アンテナに送り出すアンテナマッチング回路と、
を備えたことを特徴とする請求項１、９又は１０記載の携帯電話機。
【請求項１４】
前記第２筐体部は、
前記同軸ケーブルを介して前記直流重畳送信電波を受けこの直流重畳送信電波より前記送信電波を取り出しこの送信電波を出力する分離回路と、
前記直流重畳送信電波を受けこの直流重畳送信電波より前記直流電圧を取り出しこの直流電圧を作動用の電圧として使用して、前記アンテナの伸張状態と収納状態とを検出しそれぞれの状態に整合したインピーダンスに切り換えるとともに、前記分離回路が取り出した前記送信電波を受けこの送信電波を前記アンテナに送り出すアンテナマッチング回路と、
を備えたことを特徴とする請求項１、９又は１０記載の携帯電話機。
【請求項１５】
前記第２筐体部は、
前記同軸ケーブルを介して前記直流重畳送信電波を受けこの直流重畳送信電波より前記直流電圧を取り出しこの直流電圧を作動用の電圧として使用して、表示や通信をする赤外線回路、表示をするＬＣＤ回路を含む各種回路と、
前記直流重畳送信電波より前記送信電波を取り出しこの送信電波を前記アンテナに送り出すアンテナマッチング回路と、
を備えたことを特徴とする請求項１又は９記載の携帯電話機。
【請求項１６】
前記第２筐体部は、
前記同軸ケーブルを介して前記直流重畳送信電波を受けこの直流重畳送信電波より前記送信電波と前記直流電圧とを分離してそれぞれ出力する分離回路と、
前記分離回路が分離した前記直流電圧を受けこの直流電圧を作動用の電圧として使用して、表示や通信をする赤外線回路、表示をするＬＣＤ回路を含む各種回路と、
前記分離回路が分離した前記送信電波を受けこの送信電波を前記アンテナに送り出すアンテナマッチング回路と、
を備えたことを特徴とする請求項１又は９記載の携帯電話機。
【請求項１７】
前記第２筐体部は、
前記同軸ケーブルを介して前記直流重畳送信電波を受けこの直流重畳送信電波より前記直流電圧を取り出しこの直流電圧を出力する分離回路と、
前記分離回路が取り出した前記直流電圧を受けこの直流電圧を作動用の電圧として使用して、表示や通信をする赤外線回路、表示をするＬＣＤ回路を含む各種回路と、
前記直流重畳送信電波を受けこの直流重畳送信電波より前記送信電波を取り出しこの送信電波を前記アンテナに送り出すアンテナマッチング回路と、
を備えたことを特徴とする請求項１又は９記載の携帯電話機。
【請求項１８】
前記第２筐体部は、
前記同軸ケーブルを介して前記直流重畳送信電波を受けこの直流重畳送信電波より前記送信電波を取り出しこの送信電波を出力する分離回路と、
前記直流重畳送信電波を受けこの直流重畳送信電波より前記直流電圧を取り出しこの直流電圧を作動用の電圧として使用して、表示や通信をする赤外線回路、表示をするＬＣＤ回路を含む各種回路と、
前記分離回路が分離した前記送信電波を受けこの送信電波を前記アンテナに送り出すアンテナマッチング回路と、
を備えたことを特徴とする請求項１又は９記載の携帯電話機。
【発明の詳細な説明】
【０００１】
【発明の属する技術分野】
本発明は携帯電話機に関し、特に分割された筐体を有する携帯電話機に関する。
【０００２】
【従来の技術】
従来、この種の携帯電話機は、図６で示すように、送信電波を生成して出力する第１筐体部７と、第１筐体部７が出力した送信電波を伝達する同軸ケーブル３と、この同軸ケーブル３を介して送信電波を受けこの送信電波をアンテナ４に送り出す第２筐体部８と、この送信電波を放射するアンテナ４とにより構成する。そして、第１筐体部７は予め電源回路７２を有し、第１筐体部７に予め備えられた携帯電話機用の第１の各種回路７１にこの電源回路７２から電圧を供給する。また、この電源回路７２から第２筐体部８へ電源ケーブル９を引きこの電源ケーブル９を介して第２筐体部８の第２の各種回路８１へこの電源回路７２から電圧を供給している。
【０００３】
また、電源回路を第１筐体部と第２筐体部とに備え、それぞれの筐体部に予め備えられた携帯電話機用の各種回路にこれらの電源回路からそれぞれ電圧を供給しているものもある（例えば、特許文献１参照）。
【０００４】
【特許文献１】
特開２００１−２２３７７４号公報（請求項１、図１）
【０００５】
【発明が解決しようとする課題】
上述した図６の従来の携帯電話機は、電源回路を第１筐体部に備え、この電源回路から第２筐体部へ電源ケーブルを引きこの電源ケーブルを介して第２筐体部の第２の各種回路へこの電源回路から電圧を供給している。このため、第１筐体部と第２筐体部との間に電源ケーブルを敷設する必要があるので、この敷設した電源ケーブル分重くなり、小型化や薄型化するために不利となるという問題がある。
【０００６】
また、上述した特許文献１に記載の従来の携帯電話機は、電源回路を第１筐体部と第２筐体部とに備え、それぞれの筐体部に予め備えられた携帯電話機用の各種回路にこれらの電源回路からそれぞれ電圧を供給している。このため、第２筐体部以外に第２筐体部にも電源回路が必要であるので、第２筐体部の電源回路分部品点数が多くなるという問題がある。
【０００７】
本発明の目的はこのような従来の欠点を除去するため、第１筐体部と第２筐体部との間に電源ケーブルの敷設を少なくし、従ってこの少なくなった電源ケーブル分軽くなり、小型化や薄型化するために有利な携帯電話機を提供することにある。
【０００８】
また、第２筐体部に電源回路を設ける必要がなく、第２筐体部の電源回路分部品点数が少なくなる携帯電話機を提供することにある。
【０００９】
【課題を解決するための手段】
本発明の携帯電話機は、送信電波を生成しアンテナよりこの送信電波を放射する携帯電話機において、
前記送信電波を生成しこの送信電波に直流電圧を重畳して直流重畳送信電波としこの直流重畳送信電波を出力する第１筐体部と、
前記第１筐体部が出力した前記直流重畳送信電波を伝達する同軸ケーブルと、前記同軸ケーブルを介して前記直流重畳送信電波を受けこの直流重畳送信電波より前記直流電圧を取り出しこの直流電圧を自第２筐体部に予め備えた回路の作動用の電圧として使用するとともに、前記直流重畳送信電波より前記送信電波を取り出しこの送信電波を前記アンテナに送り出す第２筐体部と、
を備えて構成されている。
【００１０】
また、本発明の携帯電話機の前記予め備えた回路は、前記アンテナの伸張状態と収納状態とを検出しそれぞれの状態に整合したインピーダンスに切り換えるとともに前記送信電波を前記アンテナに送り出すアンテナマッチング回路である。
【００１１】
更に、本発明の携帯電話機の前記アンテナマッチング回路は、前記直流重畳送信電波より前記直流電圧を取り出しこの直流電圧を作動用の電圧として使用するようにしている。
【００１２】
また、本発明の携帯電話機の前記アンテナマッチング回路は、前記直流重畳送信電波より前記送信電波を取り出しこの送信電波を前記アンテナに送り出すようにしている。
【００１３】
更に、本発明の携帯電話機の前記予め備えた回路は、表示や通信をする赤外線回路、表示をするＬＣＤ回路を含む各種回路である。
【００１４】
また、本発明の携帯電話機の前記各種回路は、前記直流重畳送信電波より前記直流電圧を取り出しこの直流電圧を作動用の電圧として使用するようにしている。
【００１５】
更に、本発明の携帯電話機の前記第１筐体部は、
自第１筐体部内で発生する送信信号を変調して前記送信電波を出力する送信回路と、
前記直流電圧を発生する直流電圧発生回路と、
前記送信回路が出力した前記送信電波に前記直流電圧発生回路が発生した前記直流電圧を重畳して前記直流重畳送信電波を生成しこの直流重畳送信電波を出力する重畳回路と、
を備えて構成されている。
【００１６】
また、本発明の携帯電話機の前記第１筐体部は、
自第１筐体部内で発生する送信信号を変調して前記送信電波を出力する送信回路と、
直流電圧を発生する直流電圧発生回路と、
前記直流電圧発生回路が発生した前記直流電圧を受けこの直流電圧を作動用の電圧として、前記送信回路が出力した前記送信電波を増幅する増幅回路と、
前記増幅回路が増幅した前記送信電波に前記直流電圧発生回路が発生した前記直流電圧を重畳して前記直流重畳送信電波を生成しこの直流重畳送信電波を出力する重畳回路と、
を備えて構成されている。
【００１７】
更に、本発明の携帯電話機の前記第２筐体部は、
前記同軸ケーブルを介して前記直流重畳送信電波を受けこの直流重畳送信電波より前記直流電圧を取り出しこの直流電圧を作動用の電圧として使用して、前記アンテナの伸張状態と収納状態とを検出しそれぞれの状態に整合したインピーダンスに切り換えるとともに、前記直流重畳送信電波より前記送信電波を取り出しこの送信電波を前記アンテナに送り出すアンテナマッチング回路を備えている。
【００１８】
また、本発明の携帯電話機の前記第２筐体部は、
前記同軸ケーブルを介して前記直流重畳送信電波を受けこの直流重畳送信電波より前記送信電波と前記直流電圧とを分離してそれぞれ出力する分離回路と、
前記分離回路が分離した前記直流電圧を受けこの直流電圧を作動用の電圧として使用して、前記アンテナの伸張状態と収納状態とを検出しそれぞれの状態に整合したインピーダンスに切り換えるとともに前記分離回路が分離した前記送信電波を受けこの送信電波を前記アンテナに送り出すアンテナマッチング回路と、
を備えて構成されている。
【００１９】
更に、本発明の携帯電話機の前記第２筐体部は、
前記同軸ケーブルを介して前記直流重畳送信電波を受けこの直流重畳送信電波より前記直流電圧を取り出しこの直流電圧を出力する分離回路と、
前記分離回路が取り出した前記直流電圧を受けこの直流電圧を作動用の電圧として使用して、前記アンテナの伸張状態と収納状態とを検出しそれぞれの状態に整合したインピーダンスに切り換えるとともに、前記直流重畳送信電波を受けこの直流重畳送信電波より前記送信電波を取り出しこの送信電波を前記アンテナに送り出すアンテナマッチング回路と、
を備えて構成されている。
【００２０】
また、本発明の携帯電話機の前記第２筐体部は、
前記同軸ケーブルを介して前記直流重畳送信電波を受けこの直流重畳送信電波より前記送信電波を取り出しこの送信電波を出力する分離回路と、
前記直流重畳送信電波を受けこの直流重畳送信電波より前記直流電圧を取り出しこの直流電圧を作動用の電圧として使用して、前記アンテナの伸張状態と収納状態とを検出しそれぞれの状態に整合したインピーダンスに切り換えるとともに、前記分離回路が取り出した前記送信電波を受けこの送信電波を前記アンテナに送り出すアンテナマッチング回路と、
を備えて構成されている。
【００２１】
更に、本発明の携帯電話機の前記第２筐体部は、
前記同軸ケーブルを介して前記直流重畳送信電波を受けこの直流重畳送信電波より前記直流電圧を取り出しこの直流電圧を作動用の電圧として使用して、表示や通信をする赤外線回路、表示をするＬＣＤ回路を含む各種回路と、
前記直流重畳送信電波より前記送信電波を取り出しこの送信電波を前記アンテナに送り出すアンテナマッチング回路と、
を備えて構成されている。
【００２２】
また、本発明の携帯電話機の前記第２筐体部は、
前記同軸ケーブルを介して前記直流重畳送信電波を受けこの直流重畳送信電波より前記送信電波と前記直流電圧とを分離してそれぞれ出力する分離回路と、
前記分離回路が分離した前記直流電圧を受けこの直流電圧を作動用の電圧として使用して、表示や通信をする赤外線回路、表示をするＬＣＤ回路を含む各種回路と、
前記分離回路が分離した前記送信電波を受けこの送信電波を前記アンテナに送り出すアンテナマッチング回路と、
を備えて構成されている。
【００２３】
更に、本発明の携帯電話機の前記第２筐体部は、
前記同軸ケーブルを介して前記直流重畳送信電波を受けこの直流重畳送信電波より前記直流電圧を取り出しこの直流電圧を出力する分離回路と、
前記分離回路が取り出した前記直流電圧を受けこの直流電圧を作動用の電圧として使用して、表示や通信をする赤外線回路、表示をするＬＣＤ回路を含む各種回路と、
前記直流重畳送信電波を受けこの直流重畳送信電波より前記送信電波を取り出しこの送信電波を前記アンテナに送り出すアンテナマッチング回路と、
を備えて構成されている。
【００２４】
また、本発明の携帯電話機の前記第２筐体部は、
前記同軸ケーブルを介して前記直流重畳送信電波を受けこの直流重畳送信電波より前記送信電波を取り出しこの送信電波を出力する分離回路と、
前記直流重畳送信電波を受けこの直流重畳送信電波より前記直流電圧を取り出しこの直流電圧を作動用の電圧として使用して、表示や通信をする赤外線回路、表示をするＬＣＤ回路を含む各種回路と、
前記分離回路が分離した前記送信電波を受けこの送信電波を前記アンテナに送り出すアンテナマッチング回路と、
を備えて構成されている。
【００２５】
【発明の実施の形態】
次に、本発明の実施の形態について図面を参照して説明する。
【００２６】
図１は、本発明の携帯電話機の第１の実施の形態を示すブロック図である。
【００２７】
図１に示す本実施の形態は、送信電波を生成して出力する第１筐体部１と、第１筐体部１が出力した送信電波を伝達する同軸ケーブル３と、この同軸ケーブル３を介して送信電波を受けこの送信電波をアンテナ４に送り出す第２筐体部２と、この送信電波を放射するアンテナ４とにより構成する。
【００２８】
第１筐体部１は、例えば、操作キー等の操作部を含む携帯電話機の下側の筐体部分を示す。
【００２９】
第２筐体部２は、例えば、表示や通信をする赤外線回路、表示をするＬＣＤ回路を含む携帯電話機の上側の筐体部分を示す。
【００３０】
第１筐体部１は、第１筐体部１内で発生する送信するためのデータを含む送信信号を受け送信電波を生成する送信回路１２と、例えば負の直流電圧（以後、負電圧と記載する。）を発生する負電圧発生回路１１と、負電圧発生回路１１が発生した負電圧を作動用の電圧として使用し、送信回路１２が生成した送信電波を増幅する増幅回路１３と、増幅回路１３が増幅した送信電波と負電圧発生回路１１が発生した負電圧を重畳して直流重畳送信電波としこの直流重畳送信電波を出力する重畳回路１４とにより構成する。
【００３１】
同軸ケーブル３は重畳回路１４が出力した直流重畳送信電波を伝達する。
【００３２】
第２筐体部２は、同軸ケーブル３を介して直流重畳送信電波を受けこの直流重畳送信電波を負電圧と送信電波とに分離してそれぞれ出力する分離回路２２と、分離回路２２が出力した負電圧を作動用の電圧として使用して、アンテナ４の伸張状態と収納状態とを検出しそれぞれの状態に整合したインピーダンスに切り換えるとともに分離回路２２が出力した送信電波をアンテナ４に送り出すアンテナ４マッチング回路とにより構成する。
【００３３】
次に、本実施の形態の携帯電話機の動作を図２及び図３を参照して詳細に説明する。
【００３４】
図２は、増幅回路が増幅した送信電波の波形の一例を示す図である。
【００３５】
図３は、直流重畳送信電波の波形の一例を示す図である。
【００３６】
図１において、送信回路１２は、第１筐体部１内で発生する送信するためのデータを含む送信信号を受けこの送信信号を例えばＱＰＳＫ変調して送信電波を生成する。
【００３７】
送信電波の波形は例えば高周波のＳＩＮ波にＱＰＳＫの変調がかかった波形となる。
【００３８】
負電圧発生回路１１は、予め定めた大きさ（例えば、−５ｖから−０．５ｖのうちの予め定めた電圧値、−２．５ｖ。この値にこだわることなく、システムにより適宜変更可能である。）の負電圧を発生する。
【００３９】
増幅回路１３は、負電圧発生回路１１が発生した負電圧を作動用の電圧として使用し、送信回路１２が生成した送信電波を増幅する。増幅結果を図２に示す。
【００４０】
重畳回路１４は、増幅回路１３が増幅した送信電波と負電圧発生回路１１が発生した負電圧を重畳して図３に示す直流重畳送信電波を生成しこの直流重畳送信電波を出力する。
【００４１】
同軸ケーブル３は重畳回路１４が出力した直流重畳送信電波を伝達する。
【００４２】
分離回路２２は、同軸ケーブル３を介して直流重畳送信電波を受けこの直流重畳送信電波を負電圧と送信電波とに分離してそれぞれ出力する。
【００４３】
アンテナマッチング回路２１は、分離回路２２が出力した負電圧を作動用の電圧として使用して、アンテナ４の伸張状態と収納状態とを検出しそれぞれの状態に整合したインピーダンスに切り換えるとともに分離回路２２が出力した送信電波をアンテナ４に送り出す。
【００４４】
アンテナ４は、この送信電波を放射する。
【００４５】
以上の説明では、分離回路２２により、同軸ケーブル３を介して受けた直流重畳送信電波を負電圧と送信電波とに分離してそれぞれ出力し、アンテナマッチング回路２１は、分離回路２２より負電圧と送信電波とを受け、この受けた負電圧を作動用の電圧として使用して、アンテナ４の伸張状態と収納状態とを検出しそれぞれの状態に整合したインピーダンスに切り換えるとともに分離回路２２より受けた送信電波をアンテナ４に送り出すようにしたが、分離回路２２での直流重畳送信電波の分離機能をアンテナマッチング回路２１に持たせ、次のようにしても良い。
【００４６】
すなわち、分離回路２２は、同軸ケーブル３を介して直流重畳送信電波を受けこの直流重畳送信電波を出力し、アンテナマッチング回路２１は、分離回路２２より直流重畳送信電波を受けこの直流重畳送信電波より負電圧を取り出しこの負電圧を作動用の電圧として使用してアンテナ４の伸張状態と収納状態とを検出しそれぞれの状態に整合したインピーダンスに切り換えるとともに、分離回路２２より受けた直流重畳送信電波より送信電波を取り出しこの送信電波をアンテナ４に送り出すようにしても良い。
【００４７】
また、分離回路２２は、同軸ケーブル３を介して直流重畳送信電波を受けこの直流重畳送信電波より負電圧を取り出しこの負電圧と直流重畳送信電波とを出力し、アンテナマッチング回路２１は、分離回路２２より負電圧を受けこの負電圧を作動用の電圧として使用してアンテナ４の伸張状態と収納状態とを検出しそれぞれの状態に整合したインピーダンスに切り換えるとともに、分離回路２２より受けた直流重畳送信電波より送信電波を取り出しこの送信電波をアンテナ４に送り出すようにしても良い。
【００４８】
更に、分離回路２２は、同軸ケーブル３を介して直流重畳送信電波を受けこの直流重畳送信電波より送信電波を取り出しこの送信電波と直流重畳送信電波とを出力し、アンテナマッチング回路２１は、分離回路２２より直流重畳送信電波を受けこの直流重畳送信電波より負電圧を取り出しこの負電圧を作動用の電圧として使用してアンテナ４の伸張状態と収納状態とを検出しそれぞれの状態に整合したインピーダンスに切り換えるとともに、分離回路２２より送信電波を受けこの送信電波をアンテナ４に送り出すようにしても良い。
【００４９】
図４は、本発明の携帯電話機の第２の実施の形態を示すブロック図である。
【００５０】
図４に示す本実施の形態は、送信電波を生成して出力する第１筐体部５と、第１筐体部５が出力した送信電波を伝達する同軸ケーブル３と、この同軸ケーブル３を介して送信電波を受けこの送信電波をアンテナ４に送り出す第２筐体部６と、この送信電波を放射するアンテナ４とにより構成する。
【００５１】
第１筐体部５は、例えば、操作キー等の操作部を含む携帯電話機の下側の筐体部分を示す。
【００５２】
第２筐体部６は、例えば、表示や通信をする赤外線回路、表示をするＬＣＤ回路を含む携帯電話機の上側の筐体部分を示す。
【００５３】
第１筐体部５は、第１筐体部５内で発生する送信するためのデータを含む送信信号を受け送信電波を生成する送信回路１２と、例えば負電圧を発生する負電圧発生回路１１と、負電圧発生回路１１が発生した負電圧を作動用の電圧として使用し、送信回路１２が生成した送信電波を増幅する増幅回路１３と、直流電圧を発生する電源回路５１（例えば正の直流電圧（以後、正電圧と記載する。この電圧は、例えば、０．５ｖから５ｖのうちの予め定めた電圧値、２．８ｖ。この値にこだわることなく、システムにより適宜変更可能である。）を発生する）と、増幅回路１３が増幅した送信電波と電源回路５１が発生した正電圧を重畳して直流重畳送信電波としこの直流重畳送信電波を出力する重畳回路１４とにより構成する。
【００５４】
同軸ケーブル３は重畳回路１４が出力した直流重畳送信電波を伝達する。
【００５５】
第２筐体部６は、同軸ケーブル３を介して直流重畳送信電波を受けこの直流重畳送信電波を正電圧と送信電波とに分離してそれぞれ出力する分離回路２２と、分離回路２２が出力した正電圧を作動用の電圧として使用して、赤外線ランプを制御し表示や通信を行う赤外線回路やＬＣＤを制御して表示を行うＬＣＤ回路を含む各種回路６１と、分離回路２２が出力した送信電波をアンテナ４に送り出すアンテナマッチング回路２１とにより構成する。
【００５６】
次に、本実施の形態の携帯電話機の動作を図２及び図５を参照して詳細に説明する。
【００５７】
図５は、直流重畳送信電波の波形の一例を示す図である。
【００５８】
図４において、送信回路１２と負電圧発生回路１１と増幅回路１３とは第１の実施の形態で示したものと同じである。
【００５９】
重畳回路１４は、増幅回路１３が増幅した送信電波と電源回路５１が発生した正電圧を重畳して図５に示す直流重畳送信電波を生成しこの直流重畳送信電波を出力する。
【００６０】
同軸ケーブル３は重畳回路１４が出力した直流重畳送信電波を伝達する。
【００６１】
分離回路２２は、同軸ケーブル３を介して直流重畳送信電波を受けこの直流重畳送信電波を正電圧と送信電波とに分離してそれぞれ出力する。
【００６２】
赤外線回路やＬＣＤ回路を含む各種回路６１は、分離回路２２が出力した正電圧を作動用の電圧として使用してそれぞれの動作を行う。赤外線回路は、赤外線ランプ等を制御し表示や通信を行う。ＬＣＤ回路は、ＬＣＤ等を制御して表示を行う。
【００６３】
アンテナマッチング回路２１は、例えば第１筐体部５の負電圧発生回路１１から電源ケーブル（不図示）を介して負電圧を受けこの負電圧を作動用の電圧として使用してアンテナ４の伸張状態と収納状態とを検出しそれぞれの状態に整合したインピーダンスに切り換えるとともに、分離回路２２より送信電波を受けこの送信電波をアンテナ４に送り出す。
【００６４】
アンテナ４は、この送信電波を放射する。
【００６５】
以上の説明では、分離回路２２により、同軸ケーブル３を介して受けた直流重畳送信電波を正電圧と送信電波とに分離してそれぞれ出力し、各種回路６１は、分離回路２２より正電圧を受けこの正電圧を作動用の電圧として使用してそれぞれの動作を行い、アンテナマッチング回路２１は、分離回路２２より送信電波を受けこの送信電波をアンテナ４に送り出すようにしたが、分離回路２２での直流重畳送信電波の分離機能を各種回路６１とアンテナマッチング回路２１に持たせ、次のようにしても良い。
【００６６】
すなわち、分離回路２２は、同軸ケーブル３を介して直流重畳送信電波を受けこの直流重畳送信電波を出力し、各種回路６１は、分離回路２２より直流重畳送信電波を受けこの直流重畳送信電波より正電圧を取り出しこの正電圧を作動用の電圧として使用してそれぞれの動作を行い、アンテナマッチング回路２１は、分離回路２２より直流重畳送信電波を受けこの直流重畳送信電波より送信電波を取り出しこの送信電波をアンテナ４に送り出すようにしても良い。
【００６７】
また、分離回路２２は、同軸ケーブル３を介して直流重畳送信電波を受けこの直流重畳送信電波より正電圧を取り出しこの正電圧と直流重畳送信電波とを出力し、各種回路６１は、分離回路２２より正電圧を受けこの正電圧を作動用の電圧として使用してそれぞれの動作を行い、アンテナマッチング回路２１は、分離回路２２より直流重畳送信電波を受けこの直流重畳送信電波より送信電波を取り出しこの送信電波をアンテナ４に送り出すようにしても良い。
【００６８】
更に、分離回路２２は、同軸ケーブル３を介して直流重畳送信電波を受けこの直流重畳送信電波より送信電波を取り出しこの送信電波と直流重畳送信電波とを出力し、各種回路６１は、分離回路２２より直流重畳送信電波を受けこの直流重畳送信電波より正電圧を取り出しこの正電圧を作動用の電圧として使用してそれぞれの動作を行い、アンテナマッチング回路２１は、分離回路２２より送信電波を受けこの送信電波をアンテナ４に送り出すようにしても良い。
【００６９】
【発明の効果】
以上説明したように、本発明の携帯電話機によれば、第１筐体部により、送信電波に直流電圧を重畳して直流重畳送信電波とし、送信電波を伝達するための同軸ケーブルによりこの直流重畳送信電波を第２筐体部に伝達し、第２筐体部でこの直流重畳送信電波より直流電圧を取り出しこの直流電圧を第２筐体部に予め備えた回路の作動用の電圧として使用するため、第２筐体部に予め備えた回路の作動用の電圧を同軸ケーブルを介して第１筐体部から第２筐体部へ伝送するので、第２筐体部に予め備えた回路の作動用の電圧の伝送用の電源ケーブルの敷設をせずに第２筐体部に予め備えた回路の作動用の電圧を第１筐体部から第２筐体部に伝送できる。
【００７０】
従って、第２筐体部に予め備えた回路の作動用の電圧の伝送用の電源ケーブル分電源ケーブルが少なくなり、この少なくなった電源ケーブル分軽くなる。このため、小型化や薄型化するために有利な携帯電話機が提供できる。
【００７１】
また、第２筐体部に電源回路を設ける必要がなく、第２筐体部の電源回路分部品点数が少なくなる。
【図面の簡単な説明】
【図１】本発明の携帯電話機の第１の実施の形態を示すブロック図である。
【図２】増幅回路が増幅した送信電波の波形の一例を示す図である。
【図３】直流重畳送信電波の波形の一例を示す図である。
【図４】本発明の携帯電話機の第２の実施の形態を示すブロック図である。
【図５】直流重畳送信電波の波形の一例を示す図である。
【図６】従来の携帯電話機を示すブロック図である。
【符号の説明】
１    第１筐体部
２    第２筐体部
３    同軸ケーブル
４    アンテナ
５    第１筐体部
６    第２筐体部
７    第１筐体部
８    第２筐体部
９    電源ケーブル
１１    負電圧発生回路
１２    送信回路
１３    増幅回路
１４    重畳回路
２１    アンテナマッチング回路
２２    分離回路
５１    電源回路
６１    各種回路
７１    第１の各種回路
７２    電源回路
８１    第２の各種回路
【図１】
2004274934.tif 000003
【図２】
2004274934.tif 000004
【図３】
2004274934.tif 000005
【図４】
2004274934.tif 000006
【図５】
2004274934.tif 000007
【図６】
2004274934.tif 000008